(57)【特許請求の範囲】
【請求項１】
回線に接続されることによって印加される局給電により駆動される一次側回線制御部と、当該一次側回線制御部とフォトカップラにより通信する二次側シリアルインタフェース回路からなる半導体ＤＡＡ装置を用いて構成された網制御装置を備えるファクシミリ装置において、上記一次側回線制御部に対して局給電されているかどうかを検出する局給電検出手段を備え、
前記二次側シリアルインタフェース部は、前記一次側回線制御部が回線に接続されているか否かを検査する回線接続認識動作を行うグループ３ファクシミリモデムとの間で送信信号及び受信信号をやりとりするように構成されており、当該グループ３ファクシミリモデムから所定の検査用の信号を受信すると、前記一次側回線制御部に対して、所定の信号を出力し、その信号に対する応答信号を一次側回線制御部より受信するまで待ち、前記一次側回線制御部は、前記二次側シリアルインタフェース部より、前記所定の信号を受信すると、対応する応答信号を前記二次側シリアルインタフェース回路へ送信する、ファクシミリ装置。
【請求項２】
前記局給電検出手段は、所定時間間隔で、前記二次側シリアルインタフェース回路から前記一次側回線制御部への通信を行わせ、当該通信が正常に行われた場合には、局給電されていると判定し、当該通信が正常に行われなかった場合には、局給電されていないと判定することを特徴とする請求項１記載のファクシミリ装置。
【請求項３】
前記局給電検出手段が、局給電されていない旨を検出した場合、回線接続の確認を促す警告メッセージを出力することを特徴とする請求項１または請求項２記載のファクシミリ装置。
【請求項４】
前記局給電検出手段が、局給電されていない旨を検出した場合、発信予定の画情報の蓄積動作を実行しないようにすることを特徴とする請求項１ないし請求項３いずれか１項記載のファクシミリ装置。
【請求項５】
前記局給電検出手段が、局給電されていない旨を検出した場合、発信予定の画情報の発信動作を実行しないようにすることを特徴とする請求項１ないし請求項４いずれか１項記載のファクシミリ装置。
【請求項６】
前記局給電検出手段が、局給電されていない旨を検出した場合、発信予定の画情報を他のファクシミリ装置に転送することを特徴とする請求項１ないし請求項５いずれか１項記載のファクシミリ装置。
【請求項７】
前記局給電検出手段が、局給電されていない旨を検出した場合、発信予定の画情報を他の回線にて発信することを特徴とする請求項１ないし請求項６いずれか１項記載のファクシミリ装置。
【発明の詳細な説明】
【０００１】
【発明の属する技術分野】
本発明は、電話線のモデュラージャックに信号線が接続されていることを検出できるファクシミリ装置に関する。
【０００２】
【従来の技術】
一般に、ファクシミリ装置は、回線が物理的に接続されていないと、送受信動作を行うことができない。
【０００３】
一方、回線に接続しているかどうかをオンフックして確認するということは、無駄なオンフック動作が発生することとなり、通信業者との取り決め上、そのような方法を採用することは困難であった。
【０００４】
そこで、特開２００１−１６５３２号「ファクシミリ装置」のように、電話回線に印加されている電圧を認識回路を備え、発呼動作（オフフック動作）を行うことなく、回線接続の有無を検出できるようにしたものが実現されている。
【０００５】
【発明が解決しようとする課題】
しかしながら、このような従来装置では、電圧を検出するための個別回路が必要となるとともに、検出動作中に呼出信号が送られてくると、その呼出信号の見地が困難になるという不具合を生じる。
【０００６】
本発明は、かかる実情に鑑みてなされたものであり、回線に接続されているか否かを適切に検出することのできるファクシミリ装置を提供することを目的としている。
【０００７】
【課題を解決するための手段】
本発明のファクシミリ装置は、回線に接続されることによって印加される局給電により駆動される一次側回線制御部と、当該一次側回線制御部とフォトカップラにより通信する二次側シリアルインタフェース回路からなる半導体ＤＡＡ装置を用いて構成された網制御装置を備えるファクシミリ装置において、上記一次側回線制御部に対して局給電されているかどうかを検出する局給電検出手段を備え、前記二次側シリアルインタフェース部は、前記一次側回線制御部が回線に接続されているか否かを検査する回線接続認識動作を行うグループ３ファクシミリモデムとの間で送信信号及び受信信号をやりとりするように構成されており、当該グループ３ファクシミリモデムから所定の検査用の信号を受信すると、前記一次側回線制御部に対して、所定の信号を出力し、その信号に対する応答信号を一次側回線制御部より受信するまで待ち、前記一次側回線制御部は、前記二次側シリアルインタフェース部より、前記所定の信号を受信すると、対応する応答信号を前記二次側シリアルインタフェース回路へ送信するものである。
【０００８】
また、前記局給電検出手段は、所定時間間隔で、前記二次側シリアルインタフェース回路から前記一次側回線制御部への通信を行わせ、当該通信が正常に行われた場合には、局給電されていると判定し、当該通信が正常に行われなかった場合には、局給電されていないと判定するようにしたものである。
【０００９】
また、前記局給電検出手段が、局給電されていない旨を検出した場合、回線接続の確認を促す警告メッセージを出力するものである。
【００１０】
また、前記局給電検出手段が、局給電されていない旨を検出した場合、発信予定の画情報の蓄積動作を実行しないようにするものである。
【００１１】
また、前記局給電検出手段が、局給電されていない旨を検出した場合、発信予定の画情報の発信動作を実行しないようにするものである。
【００１２】
また、前記局給電検出手段が、局給電されていない旨を検出した場合、発信予定の画情報を他のファクシミリ装置に転送するものである。
【００１３】
また、前記局給電検出手段が、局給電されていない旨を検出した場合、発信予定の画情報を他の回線にて発信するものである。
【００１５】
【発明の実施の形態】
以下、添付図面を参照しながら、本発明の実施の形態を詳細に説明する。
【００１６】
図１は、本発明の一実施例にかかるグループ３ファクシミリ装置を示している。
【００１７】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１８】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２１】
網制御装置１１は、このグループ３ファクシミリ装置をアナログ公衆網ＰＳＴＮに接続するためのものであり、自動発着信機能を備えている。また、網制御装置１１には、通話のための電話器１２が付設されている。
【００２２】
ＬＡＮ制御装置１５は、このグループ３ファクシミリ装置をＬＡＮに接続するためのものであり、自動送受信機能を備えている。例えば、このグループ３ファクシミリ装置がスキャナやプリンタを兼ねる場合、スキャナ５により取得された画信号をＬＡＮに接続されたパソコンに送信したり、プロッタ６により印刷する画信号をＬＡＮに接続されたパソコンから受信したりする。
【００２３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ＬＡＮ制御装置１５は、内部バス１３に接続されており、これらの各要素間でのデータのやりとりは、主としてこの内部バス１３を介して行われている。
【００２４】
また、網制御装置１１とグループ３ファクシミリモデム１０との間のデータのやりとりは、直接行なわれている。
【００２５】
図２は、網制御装置１１の一例を示している。
【００２６】
この網制御装置１１は、局給電により駆動される一次側回線制御部２１、二次側シリアルインタフェース部２２、一次側回線制御部２１と二次側シリアルインタフェース部２２との間の信号のやりとりをするためのフォトカップラ２３，２４からなる半導体ＤＡＡ装置２５を用いて構成されている。
【００２７】
ここに、半導体ＤＡＡ装置２５は、周知機能を備えた周知装置であり、信号線と機器との間のシグナルカップリング、インピーダンス整合、および、絶縁の機能を備えている。
【００２８】
また、回線に接続する端子Ｔ１，Ｔ２には、整流器２６が接続されて、回線上の電流が整流され、切断回路２７を介して、一次側回線制御部２１に加えられている。
【００２９】
また、二次側シリアルインタフェース部２２は、送信信号ＴＳおよび受信信号ＲＳをグループ３ファクシミリモデム１０との間でやりとりするとともに、システム制御部１より回線閉結信号ＦＦが加えられ、また、呼出信号検出した際には、信号ＣＬをシステム制御部１へ出力する。
【００３０】
また、端子Ｔ１，Ｔ２には、外付けの電話器１２を接続するための端子Ｔ３，Ｔ４が並列に接続されている。
【００３１】
以上の構成で、システム制御部１は、所定時間間隔で、グループ３ファクシミリモデム１０に対して、回線接続認識動作を行うように指令する。
【００３２】
これにより、グループ３ファクシミリモデム１０は、網制御装置１１の二次側シリアルインタフェース部２２に対して、所定の検査用の信号を出力する。二次側シリアルインタフェース部２２は、この検査用の信号を入力すると、一次側回線制御部２１に対して、所定の信号を出力し、その信号に対する応答信号を一次側回線制御部２１より受信するまで待つ。
【００３３】
また、一次側回線制御部２１は、二次側シリアルインタフェース部２２より、所定の信号を受信すると、対応する応答信号を二次側シリアルインタフェース回路２２へ送信する。
【００３４】
しかしながら、端子Ｔ１，Ｔ２が回線に接続されておらず、一次側回線制御部２１に局給電が印加されていない場合には、一次側回線制御部２１は動作できないので、二次側シリアルインタフェース部２２は、一次側回線制御部２１からの応答信号を受信することができない。
【００３５】
したがって、二次側シリアルインタフェース部２２は、一次側回線制御部２１より所定の応答信号を受信できた場合には、グループ３ファクシミリモデム１０に対して、回線が正常に接続されている旨を通知し、また、一次側回線制御部２１より所定の応答信号を受信できなかった場合には、グループ３ファクシミリモデム１０に対して、回線が正常に接続されてない旨を通知する。
【００３６】
それにより、グループ３ファクシミリモデム１０は、二次側シリアルインタフェース部２２より回線が正常に接続されている旨が通知された場合には、回線が正常に接続されている旨をシステム制御部１へ通知し、また、二次側シリアルインタフェース部２２より回線が正常に接続されていない旨が通知された場合には、回線が正常に接続されていない旨をシステム制御部１へ通知する。
【００３７】
そして、システム制御部１は、二次側シリアルインタフェース部２２より、回線が正常に接続されていない旨が通知された場合には、操作表示部７に、その旨を警告表示して、ユーザに対し、回線の接続を確認するように促す。または、ＬＡＮ経由で他の装置（例えばパソコン）の表示部に警告表示してもよい。
【００３８】
ここで、システム制御部１に、二次側シリアルインタフェース部２２より、回線が正常に接続されていない旨が通知された場合において、ファクシミリ装置内に発信予定の画情報がすでに存在する場合や、ファクシミリ装置内に発信予定の画情報があらたに発生した場合について説明する。前者は例えば、ユーザが発信操作をした後に回線が切断された場合などに発生し、後者は例えば、ユーザが警告表示に気付かずに発信操作をした場合などに発生する。
【００３９】
システム制御部１は、あらたに画像蓄積装置９に蓄積されようとしている画情報については、画像蓄積装置９への蓄積動作を実行しないようにし、すでに画像蓄積装置９に蓄積されている画情報については、グループ３ファクシミリモデム１０等による発信動作を実行しないようにする。これにより、無駄な蓄積動作や発信動作を回避することが可能になる。
【００４０】
ここで、このファクシミリ装置が他のファクシミリ装置とＬＡＮで接続されている場合には、ＬＡＮ制御装置１５により、発信予定の画情報を他のファクシミリ装置に転送して、代わりに発信させてもよい。さらに、このファクシミリ装置が他の回線にも接続されている場合には、発信予定の画情報を他の回線にて発信してもよい。
【００４１】
図３は、この場合、システム制御部１が回線接続の検査のために行う処理の一例を示す。
【００４２】
まず、システム制御部１は、グループ３ファクシミリモデム１０に対して、回線接続認識動作を行うように指令する（処理１０２）。この指令に対して、グループ３ファクシミリモデム１０から回線が接続に正常されている旨が通知されるかどうかを調べる（判断１０２）。
【００４３】
判断１０２の結果がＹＥＳになるときには、所定時間待ち（処理１０３）、処理１０１へ戻って、グループ３ファクシミリモデム１０に対して、再度、回線接続認識動作を行うように指令する。
【００４４】
また、判断１０２の結果がＮＯになるときには、操作表示部７に、回線が接続されていない旨を警告表示して、ユーザに対し、回線の接続を確認するように促す（処理１０４）。また、蓄積動作や発信動作を実行しないようにする。
【００４５】
図４は、回線接続の検査に関し、グループ３ファクシミリモデム１０が行う処理の一例を示す。
【００４６】
グループ３ファクシミリモデム１０は、システム制御部１より、回線接続認識動作を行うように指令されると（判断２０１の結果がＹＥＳ）、半導体ＤＡＡ装置２５、すなわち、網制御装置１１に対して、検査用のシリアルデータ（任意の信号）を送出する（処理２０２）。
【００４７】
半導体ＤＡＡ装置２５では、検査用のシリアルデータを受信すると、二次側シリアルインタフェース部２２が、一次側回線制御部２１に対して、所定の検査用の信号を送信し、一次側回線制御部２１は、二次側シリアルインタフェース部２２より、所定の検査用の信号を受信すると、対応する応答信号を二次側シリアルインタフェース回路２２へ送信する。
【００４８】
二次側シリアルインタフェース部２２は、この応答信号の受信の有無をグループ３ファクシミリモデム１０へ通知する。
【００４９】
したがって、半導体ＤＡＡ装置２５から応答信号の正常受信が通知されると（判断２０３の結果がＹＥＳ）、グループ３ファクシミリモデム１０は、システム制御部１に対して、回線が正常に接続されている旨を通知し（処理２０４）、半導体ＤＡＡ装置２５から応答信号の異常受信が通知されると（判断２０３の結果がＮＯ）、グループ３ファクシミリモデム１０は、システム制御部１に対して、回線が正常に接続されていない旨を通知する（処理２０５）。
【００５０】
このようにして、本実施例では、回線に信号線が接続されているか否かを明確に検出することができる。
【００５１】
図５は、本発明の他の実施例にかかるグループ３ファクシミリ装置を示している。このグループ３ファクシミリ装置は、省エネ機能を備えている。なお、同図において図１と同一部分および相当する部分には、同一符号を付している。
【００５２】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００５３】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００５４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００５５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００５６】
網制御装置１１は、このグループ３ファクシミリ装置をアナログ公衆網ＰＳＴＮに接続するためのものであり、自動発着信機能を備えている。また、網制御装置１１には、通話のための電話器１２が付設されている。
【００５７】
ＬＡＮ制御装置１５は、このグループ３ファクシミリ装置をＬＡＮに接続するためのものであり、自動送受信機能を備えている。例えば、このグループ３ファクシミリ装置がスキャナやプリンタを兼ねる場合、スキャナ５により取得された画信号をＬＡＮに接続されたパソコンに送信したり、プロッタ６により印刷する画信号をＬＡＮに接続されたパソコンから受信したりする。
【００５８】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ＬＡＮ制御装置１５は、内部バス１３に接続されており、これらの各要素間でのデータのやりとりは、主としてこの内部バス１３を介して行われている。
【００５９】
また、網制御装置１１とグループ３ファクシミリモデム１０との間のデータのやりとりは、直接行なわれている。
【００６０】
また、電源制御部１４は、省エネ機能を実現するためのものである。
【００６１】
ここで、省エネ機能について説明する。
【００６２】
本実施例の場合、システム制御部１は、待機状態が所定時間以上継続するか、あるいは、ユーザから省エネ移行の指令がされた場合、省エネモードへ移行する。すなわち、この場合、電源制御部１４に対して、省エネモードへ移行する旨を指令する。
【００６３】
電源制御部１４は、省エネモードが設定されていない場合には、通常の電源モードでグループ３ファクシミリ装置の各要素に対して電源を供給するとともに、省エネモード時には、省エネモードを解除する要因を検出する要素にのみ電源を供給し、それ以外の要素には電源を供給しない。
【００６４】
すなわち、スキャナ５の原稿検出部、操作表示部７の省エネモード解除スイッチの操作検出部、網制御装置１１の着信検出部については、省エネモード時に電源を供給し、それ以外の要素については、省エネモード時には電源を供給しない。
【００６５】
そして、スキャナ５の原稿検出部から原稿検出信号が出力され、あるいは、操作表示部７の省エネモード解除スイッチの操作検出部から操作検出信号が出力され、あるいは、網制御装置１１の着信検出部から着信検出信号が出力されると、電源制御部１４は、省エネモードを解除し、すべての要素に対して電源の供給を行う。
【００６６】
図６は、網制御装置１１の一例を示している。なお、同図において、図２と同一部分および相当する部分には、同一符号を付している。
【００６７】
この網制御装置１１は、局給電により駆動される一次側回線制御部２１、二次側シリアルインタフェース部２２、一次側回線制御部２１と二次側シリアルインタフェース部２２との間の信号のやりとりをするためのフォトカップラ２３，２４からなる半導体ＤＡＡ装置２５を用いて構成されている。
【００６８】
ここに、半導体ＤＡＡ装置２５は、周知機能を備えた周知装置であり、信号線と機器との間のシグナルカップリング、インピーダンス整合、および、絶縁の機能を備えている。
【００６９】
また、回線に接続する端子Ｔ１，Ｔ２には、整流器２６が接続されて、回線上の電流が整流され、切断回路２７を介して、一次側回線制御部２１に加えられている。
【００７０】
また、二次側シリアルインタフェース部２２は、送信信号ＴＳおよび受信信号ＲＳをグループ３ファクシミリモデム１０との間でやりとりするとともに、システム制御部１より回線閉結信号ＦＦが加えられ、また、呼出信号検出した際には、信号ＣＬをシステム制御部１へ出力する。
【００７１】
また、端子Ｔ１，Ｔ２には、外付けの電話器１２を接続するための端子Ｔ３，Ｔ４が並列に接続されている。
【００７２】
また、端子Ｔ１，Ｔ２には、回線上の信号によりオンオフするフォトカップラ３０が接続されており、このフォトカップラ３０の検出信号ＤＤは、抵抗３１によりプルアップされて、電源制御部１４に出力されている。
【００７３】
ここで、端子Ｔ１，Ｔ２が回線に接続されていて、局給電が印加されている場合には、フォトカップラ３０がオン動作し、それにより、フォトカップラ３０の出力信号ＤＤは、論理Ｌレベルに立ち下がる。
【００７４】
その状態で、呼出信号（１６Ｈｚの交流信号）が入力されると、呼出信号の周波数に応じて、フォトカップラ３０のオンオフ動作が切換えられるので、フォトカップラ３０の検出信号ＤＤは、所定周期でオンオフを繰り返す態様となる。
【００７５】
それに対し、端子Ｔ１，Ｔ２が回線に接続されていない状態では、フォトカップラ３０はオフ動作し、その検出信号ＤＤは、論理Ｈレベルに立ち上がった状態を保持する。
【００７６】
したがって、本実施例では、通常電源モード時、すなわち、省エネモードになっていない場合には、上述した実施例と同様の動作を行うことによって、回線への接続の有無を検出することができる。
【００７７】
また、省エネモード時においては、フォトカップラ３０の検出信号ＤＤの論理レベルに応じて、回線への接続の有無を検出することができる。すなわち、省エネモード時において、検出信号ＤＤが論理Ｌレベルになっている場合には、回線が正常に接続されていると判断することができる。また、省エネモード時において、検出信号ＤＤの論理レベルが繰り返し変化しているときには、着信検出していると判断することができる。また、省エネモード時において、検出信号ＤＤが論理Ｈレベルを保持する場合には、回線が正常に接続されていないと判断することができる。
【００７８】
そして、回線が正常に接続されていないと判断し、エラー発生の場合にも、省エネモードを解除し、グループ３ファクシミリ装置を起動して、エラー発生を操作表示部７に警告表示することができる。
【００７９】
また、本実施例の場合、省エネモード時の着信検出は、電源制御部１４が行うことができる。
【００８０】
図７は、この場合に、システム制御部１が起動時に実行する処理の一例を示している。
【００８１】
まず、システム制御部１は、電源オンの原因が省エネモードからの復帰であるか、それ以外であるかを調査する（処理３０１）。これは、例えば、電源制御部１４からの通知情報に基づいて行うことができる。
【００８２】
そして、省エネモードからの復帰ではなく、判断３０２の結果がＮＯになるときには、通常の起動時の初期化処理を行い（処理３０３）、次の処理へ移行する。
【００８３】
また、省エネモードからの復帰であり、判断３０２の結果がＹＥＳになるときには、復帰要因を調査し（処理３０４）、それが、例えば、回線が正常に接続されていない等のエラー発生のためのであるかどうかを調べる（判断３０５）。
【００８４】
判断３０５の結果がＹＥＳになるときは、発生したエラーを操作表示部７を用いてユーザに対して表示し（処理３０７）、次の処理へ移行する。
【００８５】
また、判断３０５の結果がＮＯになるときには、復帰要因に基づいて、対応する処理を実行する省エネ復帰時初期化処理（処理３０６）を実行し、次の処理へ移行する。
【００８６】
図８は、電源制御部１４の処理の一例を示している。
【００８７】
まず、システム制御部１より省エネモードへの移行が指示されたかどうかを調べ（判断４０１）、判断４０１の結果がＹＥＳになるときには、所定の省エネ移行処理を実行する（処理４０２）。
【００８８】
このようにして、省エネモードへ移行すると、省エネ復帰要因が発生するまで待つ（判断４０３のＮＯループ）。省エネ復帰要因が発生して、判断４０３の結果がＹＥＳになると、通常電源モードへ復帰するとともにそのときの省エネ復帰要因をシステム制御部１へ通知し（処理４０４）、判断４０１へ戻る。
【００８９】
図９は、電源制御部１４が行う着信検査処理の一例を示している。
【００９０】
まず、フォトカップラ３０の検出信号ＤＤより局給電が印加されているかどうかを調べ（処理５０１、判断５０２）、局給電を検出している場合には、この検出動作を繰り返し行う。
【００９１】
検出信号ＤＤが、論理Ｌレベルに立ち下がり、局給電が非検出状態となり、判断５０２の結果がＮＯになると、検出信号ＤＤが論理Ｌレベルを保持しているかどうかを調べる（判断５０３）。検出信号ＤＤが論理Ｌレベルと論理Ｈレベルを繰り返している場合で、判断５０３の結果がＮＯになるときには、着信検出となり（処理５０４）、省エネ復帰要因の検出状態となる。
【００９２】
また、判断５０３の結果がＮＯになるときには、回線との接続が異常となったエラー発生検出状態となり（処理５０５）、この場合にも、省エネ復帰要因の検出状態となる。
【００９３】
このようにして、本実施例では、省エネモード時にも、回線に信号線が接続されているか否かを明確に検出することができる。
【００９４】
【発明の効果】
以上説明したように、本発明によれば、回線に接続されることによって印加される局給電により駆動される一次側回線制御部と、当該一次側回線制御部とフォトカップラにより通信する二次側シリアルインタフェース回路からなる半導体ＤＡＡ装置を用いて構成された網制御装置を備えるファクシミリ装置において、上記一次側回線制御部に対して局給電されているかどうかを検出する局給電検出手段を備え、前記二次側シリアルインタフェース部は、前記一次側回線制御部が回線に接続されているか否かを検査する回線接続認識動作を行うグループ３ファクシミリモデムとの間で送信信号及び受信信号をやりとりするように構成されており、当該グループ３ファクシミリモデムから所定の検査用の信号を受信すると、前記一次側回線制御部に対して、所定の信号を出力し、その信号に対する応答信号を一次側回線制御部より受信するまで待ち、前記一次側回線制御部は、前記二次側シリアルインタフェース部より、前記所定の信号を受信すると、対応する応答信号を前記二次側シリアルインタフェース回路へ送信するので、回線に信号線が接続されているか否かを明確に検出することができるという効果を得る。
【図面の簡単な説明】
【図１】本発明の一実施例にかかるグループ３ファクシミリ装置の構成例を示したブロック図。
【図２】網制御装置１１の一例を示したブロック図。
【図３】システム制御部１が回線接続の検査のために行う処理の一例を示たフローチャート。
【図４】回線接続の検査に関し、グループ３ファクシミリモデム１０が行う処理の一例を示したフローチャート。
【図５】本発明の他の実施例にかかるグループ３ファクシミリ装置の構成例を示したブロック図。
【図６】網制御装置１１の他の例を示したブロック図。
【図７】システム制御部１が起動時に実行する処理の一例を示したフローチャート。
【図８】電源制御部１４の処理の一例を示したフローチャート。
【図９】電源制御部１４が行う着信検査処理の一例を示したフローチャート。
【符号の説明】
１  システム制御部
２１  一次側回線制御部
２２  二次側シリアルインタフェース部
２３，２４，３０  フォトカップラ
【図１】
0003961934.tif 000002
【図２】
0003961934.tif 000003
【図３】
0003961934.tif 000004
【図４】
0003961934.tif 000005
【図５】
0003961934.tif 000006
【図６】
0003961934.tif 000007
【図７】
0003961934.tif 000008
【図８】
0003961934.tif 000009
【図９】
0003961934.tif 000010